(57)【要約】【課題】  ライナー（１４、１１４）の下面に付着し保持される液体を可及的に減少せしめ、容器の口頸部（２，１０２）から離脱された容器蓋（１０、１１０）が傾動せしめられても、ライナーの下面に付着した液体が容器蓋から流出することが充分に防止乃至抑制されるようになす。【解決手段】  ライナーの環状厚肉周縁部（３８、１３８）に囲繞された中央領域（４４、１４４）に、半径方向外方及び／又は内方に向かって下方に傾斜する環状傾斜面（４６，４８、１４７）を形成する。【選択図】          図１
2006219166.tif 000002
【特許請求の範囲】
【請求項１】
天面壁と該天面壁の周縁から垂下するスカート壁とを有するシェルと、該シェルの該天面壁の内面に配設された合成樹脂製ライナーとから構成され、該ライナーの周縁領域には環状厚肉周縁部が配設されている容器蓋において、
該ライナーの該環状厚肉周縁部に囲繞された中央領域には、半径方向外方及び／又は内方に向かって下方に傾斜する環状傾斜面が形成されている、ことを特徴とする容器蓋。
【請求項２】
該環状傾斜面は該環状厚肉周縁部の内周縁まで半径方向外方に向かって下方に傾斜している外向傾斜面を含む、請求項１記載の容器蓋。
【請求項３】
該環状傾斜面は半径方向内方に向かって下方に傾斜する内向傾斜面を含み、該外向傾斜面は該内向傾斜面の半径方向外縁から該環状厚肉周縁部の内周縁まで半径方向外方に向かって下方に傾斜している、請求項２記載の容器蓋。
【請求項４】
該環状傾斜面は該環状厚肉周縁部の内周縁から半径方向内方に向かって下方に傾斜している内向傾斜面を含む、請求項１記載の容器蓋。
【請求項５】
該環状厚肉周縁部は実質上鉛直に延びる円筒状内周面を有し、該内向傾斜面の外周縁部と該環状厚肉周縁部の該内周面の上端部との間には複数個のリブが周方向に間隔をおいて配設されている、請求項４記載の容器蓋。
【請求項６】
該環状傾斜面は半径方向に円弧状に延びる、請求項１から５までのいずれかに記載の容器蓋。
【請求項７】
該シェルの該スカート壁の上部には周方向に間隔をおいて配設された複数個のスリットが形成されており、該ライナーの該環状厚肉周縁部の最外周縁には下方に突出する環状垂下片が形成されており、容器の口頸部に容器蓋を所定とおりに装着した状態において、該環状垂下片の下端は該スリットと実質上同一の高さ乃至それより下方に位置せしめられる、請求項１から６のいずれかに記載の容器蓋。
【請求項８】
該シェルは金属薄板製である、請求項１から７までのいずれかに記載の容器蓋。
【請求項９】
口頸部の上端にはカールが形成されている金属薄板製容器に適用される、請求項１から８までのいずれかに記載の容器蓋。  
【発明の詳細な説明】
【技術分野】
【０００１】
本発明は、天面壁とこの天面壁の周縁から垂下するスカート壁とを有するシェルと、このシェルの天面壁の内面に配設された合成樹脂製ライナーとから構成された容器蓋に関する。
【背景技術】
【０００２】
周知の如く、近時においては、コーヒ等の飲料のための容器として、上端にはカールが形成され外周面には雄螺条が形成されている金属薄板製容器が広く実用に供されている。そして、特にかような金属薄板製容器に適した容器蓋として、下記特許文献１及び２に開示されている如く、金属薄板製であるのが好都合であるシェルと合成樹脂製ライナーとから構成された容器蓋が提案されている。シェルは天面壁とこの天面壁の周縁から垂下するスカート壁とを有する。ライナーは天面壁の内面に配設されており、その周縁領域には環状厚肉周縁部が配設されている。
【特許文献１】特開２００１−１３９０５３号公報
【特許文献２】特開２００３−１７５９６２号公報
【発明の開示】
【発明が解決しようとする課題】
【０００３】
而して、上述した形態の従来の容器蓋には次のとおりの解決すべき問題が存在する。例えば容器の口頸部を開封する前に容器に振動が加えられると、容器蓋におけるライナーの下面、特に環状厚肉周縁部に囲繞された中央領域の下面に容器内の液体が付着し、そこに保持される傾向がある。ライナーの下面に付着した液体が容器内に落下することなくそこに保持される理由は必ずしも明確ではないが、ライナーの下面には微視的には相当な凹凸が存在し、かかる凹凸と液体の表面張力との協働による保持力等に起因するものと推定される。ライナーの中央領域の下面に液体が保持された状態で容器の口頸部から容器蓋を離脱し、容器蓋を水平状態から傾動せしめると、ライナーの中央領域の下面に付着している液体がライナーの下面に沿って流動して中央領域の下面周縁部の特定角度部位に集中する。そして、液体が特定部位に集中して比較的大きな嵩になると、ライナーの下面に保持され得なくなって容器蓋から流出し、消費者の衣服に付着する等の問題を発生せしめる虞がある。
【０００４】
本発明は上記事実に鑑みてなされたものであり、その主たる技術的課題は、ライナーの下面に付着し保持される液体を可及的に減少せしめ、容器の口頸部から離脱された容器蓋が傾動せしめられても、ライナーの下面に付着した液体が容器蓋から流出することが充分に防止乃至抑制されるようになすことである。
【課題を解決するための手段】
【０００５】
本発明によれば、ライナーの環状厚肉周縁部に囲繞された中央領域に、半径方向外方及び／又は内方に向かって下方に傾斜する環状傾斜面を形成することによって、上記主たる技術的課題が解決される。
【０００６】
即ち、本発明によれば、上記主たる技術的課題を達成する容器蓋として、天面壁と該天面壁の周縁から垂下するスカート壁とを有するシェルと、該シェルの該天面壁の内面に配設された合成樹脂製ライナーとから構成され、該ライナーの周縁領域には環状厚肉周縁部が配設されている容器蓋において、
該ライナーの該環状厚肉周縁部に囲繞された中央領域には、半径方向外方及び／又は内方に向かって下方に傾斜する環状傾斜面が形成されている、ことを特徴とする容器蓋が提供される。
【０００７】
好ましくは、該環状傾斜面は該環状厚肉周縁部の内周縁まで半径方向外方に向かって下方に傾斜している外向傾斜面を含む。更に、該環状傾斜面は半径方向内方に向かって下方に傾斜する内向傾斜面を含み、該外向傾斜面は該内向傾斜面の半径方向外縁から該環状厚肉周縁部の内周縁まで半径方向外方に向かって下方に傾斜しているのが好適である。該環状傾斜面は該環状厚肉周縁部の内周縁から半径方向内方に向かって下方に傾斜している内向傾斜面を含むこともできる。該環状厚肉周縁部は実質上鉛直に延びる円筒状内周面を有する場合、該内向傾斜面の外周縁部と該環状厚肉周縁部の該内周面の上端部との間には複数個のリブが周方向に間隔をおいて配設されているのが好適である。該環状傾斜面は半径方向に円弧状に延びるのが好ましい。好適形態においては、該シェルの該スカート壁の上部には周方向に間隔をおいて配設された複数個のスリットが形成されており、該ライナーの該環状厚肉周縁部の最外周縁には下方に突出する環状垂下片が形成されており、容器の口頸部に容器蓋を所定とおりに装着した状態において、該環状垂下片の下端は該スリットと実質上同一の高さ乃至それより下方に位置せしめられる。該シェルは金属薄板製であるのが好都合である。好適には、口頸部の上端にはカールが形成されている金属薄板製容器に適用される。
【発明の効果】
【０００８】
本発明の容器蓋においては、ライナーの中央領域の下面に付着した液体は環状傾斜面に沿って流動せしめられて特定部位に集められ、次いで容器内に落下せしめられる傾向がある。かくして、ライナーの下面に付着し保持される液体が可及的に減少せしめられる。
【発明を実施するための最良の形態】
【０００９】
以下、添付図面を参照して、本発明に従って構成された容器蓋の好適実施形態について、更に詳細に説明する。
【００１０】
図１には、本発明に従って構成された容器蓋の好適実施形態と共に、かかる容器蓋が適用される容器の口頸部の典型例が図示されている。クロム酸処理鋼薄板、アルムニウム基合金薄板或いはブリキ薄板の如き適宜の金属薄板から形成することができる容器の口頸部２は、全体として略円筒形状であり、その軸線方向中央部には雄螺条４が形成され、かかる雄螺条４の下方には環状膨出形状である係止あご部６が形成されている。口頸部２の上部は上方に向かって直径が漸次減少する円錐台形状にせしめられており、口頸部２の上端には外巻カール８が形成されている。カール８は、断面図において、上方に延び、上方及び半径方向外方に向かって円弧状に延び、下方及び半径方向外方に向かって円弧状に延び、下方に延び、下方及び半径方向内方に向かって円弧状に延び、そして更に上方及び半径方向内方に向かって円弧状に延びている。かような口頸部２を備えた金属製容器自体は周知であるので、金属製容器自体についての詳細な説明は本明細書においては省略する。
【００１１】
図１を参照して説明を続けると、全体を番号１０で示す容器蓋は、金属薄板製シェル１２と合成樹脂製ライナー１４とから構成されている。金属薄板製シェル１２は適宜の金属薄板、好ましくは厚さが０．１５乃至０．３０ｍｍ程度であるアルミニウム基合金薄板、から形成されており、円形天面壁１６とこの天面壁１６の周縁から垂下する略円筒形状のスカート壁１８とを有する。
【００１２】
図示の実施形態においては、シェル１２の天面壁１６はその全体が実質上水平に延在せしめられている。シェル１２のスカート壁１８の下部には周方向弱化ライン２０が形成されており、スカート壁１８は周方向弱化ライン２０よりも上方の主部２２と周方向弱化ライン２０よりも下方のタンパーエビデント裾部２４とに区画されている。図示の実施形態においては、スカート壁１８の下部には環状膨出部２６が形成されており、上記周方向弱化ライン２０は環状膨出部２６に配設されており、周方向に間隔をおいて周方向に延びる複数個のスリット２８とこれらのスリット２８間に存在する橋絡部３０とから構成されている。スカート壁１８の上部には環状溝部３２が形成されている。スカート壁１８の、上記環状溝部３２よりも上方の領域には、周方向に凹凸が交互に存在する所謂ナール３４が形成されている。ナール３４における凹部の上端縁は切断されて半径方向内側に変位せしめられており、これによってスカート壁１８の上端部には周方向に間隔をおいて複数個の比較的小さいスリット３６が形成されている。
【００１３】
図１を参照して説明を続けると、合成樹脂製ライナー１４は全体として円板形状であり、シェル１２の天面壁１６の内面に配設されている。かかるライナー１４は、適宜の合成樹脂、例えばＳＥＢＳ（スチレン−エチレン−ブタジエン−スチレン）ブロック共重合体を含有するスチレン系エラストマを、軟化乃至溶融状態でシェル１２の天面壁１６の内面に供給し、かかる合成樹脂に成形型を押圧せしめて所謂型押成形することによって好都合に形成することができる。
【００１４】
ライナー１４の周縁領域には環状厚肉周縁部３８が配設されている。図示の実施形態においては、環状厚肉周縁部３８の内周縁部には下方に突出せしめられた比較的厚い環状リング４０が形成されており、環状厚肉周縁部３８の最外周縁には下方に垂下せしめられた比較的薄い環状垂下片４２が形成されている。
【００１５】
ライナー１４における中央領域４４、即ち環状厚肉周縁部３８に囲繞された中央領域４４、には半径方向外方及び／又は内方に向かって下方に傾斜する環状傾斜面が形成されていることが重要である。図示の実施形態においては、環状厚肉周縁部３８の内周縁、従って環状リング４０の内周面まで半径方向外方に向かって下方に傾斜している環状外向傾斜面４６と、半径方向内方に向かって下方に傾斜している環状内向傾斜面４８とが形成されている。外向傾斜面４６の内周縁は内向傾斜面４８の外周縁と合致せしめられており、外向傾斜面４６は内向傾斜面４８の外周縁から半径方向外方に延在し、内向傾斜面４８は外向傾斜面４６の内周縁から半径方向内方に延在せしめられている。外向傾斜面４６は半径方向外方に向かって下方に円弧状に傾斜して延びているのが好適であり、同様に内向傾斜面４８は半径方向内方に向かって下方に円弧状に傾斜して延びているのが好適である。
【００１６】
容器内に液体飲料を充填した後に口頸部２に容器蓋１０を装着して口頸部２を密封する際には、図１に図示する如く、口頸部２に容器蓋１０を被嵌する。かくすると、ライナー１４の環状肉厚周縁部３８における環状リング４０と環状垂下片４０との間の介在領域が口頸部２のカール８の外周面上端乃至上面に当接せしめられ、環状リング４０は口頸部２内に進入し、環状リング４０の外周面がカール８の内周面に近接して位置する。次いで、図１と図２を比較参照することによって理解される如く、シェル１２の天面壁１６を下方に押圧しながらシェル１２の天面壁１６とスカート壁１８との境界領域を下方乃至半径方向内方に没入せしめる。かくすると、図２に図示する如く、ライナー１４の環状肉厚周縁部３８の所要部位がカール８に密接せしめられ、口頸部２が密封される。環状肉厚周縁部３８の最外周縁に配設されている環状垂下片４２の下端は、シェル１２に形成されているスリット３６と実質上同一の高さ乃至スリット３６よりも下方に位置するのが好適である（その理由は後述する）。更に、シェル１２のスカート壁１８における環状溝部３２から下方に向けて、口頸部２の雄螺条４に沿って雌螺条５０を形成し、そしてまたスカート壁１８のタンパーエビデント裾部２４の下端を半径方向内側に強制して口頸部２の係止あご部６に係止せしめる。
【００１７】
容器の口頸部２を開封して内容物を消費する際には、容器蓋１０を開回転方向即ち図２において上方から見て反時計方向に回転せしめる。かくすると、口頸部２の雄螺条４と容器蓋１０の雌螺条５０との協働によって容器蓋１０は回転と共に上昇せしめられる。しかしながら、容器蓋１０におけるタンパーエビデント裾部２４は口頸部２の係止あご部６に係止されている故に上昇が阻止され、これによってシェル１４の周方向弱化ライン２０の橋絡部３０に相当な応力が生成され、周方向破断ライン２０が破断されてタンパーエビデント裾部２４がスカート壁１８の主部２２から分離される。周方向破断ライン２０が破断されてタンパーエビデント裾部２４がスカート壁１８の主部２２から分離された後においては、タンパーエビデント裾部２４を口頸部２に残留せしめて容器蓋１０が口頸部２から離脱され、口頸部２が開封される。
【００１８】
例えば容器内にコーヒの如き内容物を充填した後に窒素ガスを強制的に充填することによって容器内が加圧状態にせしめられている場合、口頸部２の密封が開放される際に、容器内の加圧状態にある気体がシェル１２のスカート壁１８に形成されているスリット３６を通して急激に流出せしめられる傾向がある。そして、例えば口頸部２のカール８に内容物である液体が付着していた場合には、かかる液体も気体に付随して急激に流出する傾向がある。液体が気体に付随してシェル１２のスカート壁１８に形成されているスリット３６を通して急激に流出せしめられてしまうと、かかる液体が消費者の衣服等に付着してしまう虞がある。然るに、本発明に従って構成された図示の実施形態においては、ライナーの環状肉厚周縁部３８の最外周縁に配設されている環状垂下片４２がスリット３６の位置まで或いはこれよりも下方まで垂下せしめられている故に、気体に付随した液体は環状垂下片４２による偏向作用によって下方に偏向され、スリット３６に向かうことが効果的に抑制され、従ってスリット３６を通して流出することが効果的に防止される。
【００１９】
本発明に従って構成された図示の容器蓋１０については、特に次の事実が留意されるべきである。例えば容器の口頸部２を開封する前に容器に振動が加えられると、容器蓋１０におけるライナー１４の中央領域４４に内容物である液体が付着し、そこに保持される傾向がある。比較的大量の液体がライナー１４の中央領域４４に保持された状態で容器蓋１０が口頸部２から離脱された場合、ライナー１４に保持されていた液体が振動等に起因して或いは特定部位に集中することに起因してライナー１４から流下乃至飛散して消費者の衣服等に付着してしまう虞がある。しかしながら、本発明に従って構成された図示の容器蓋１０においては、ライナー１４の中央領域４４には外向傾斜面４６と内向傾斜面５８とが規定されており、外向傾斜面４６に付着した液体は外向傾斜に起因して半径方向外方に流動せしめられ、そして外向傾斜面４６の最外周縁から下方に落下して容器内に戻され、同様に内向傾斜面４８に付着した液体は内向傾斜に起因して半径方向内方に流動せしめられ、そして内向傾斜面４８の最内周縁から下方に落下して容器内に戻される傾向がある。かくして、ライナー１４の中央領域４４に付着して液体がそこに保持されることが可及的に抑制乃至回避される。
【００２０】
容器内の内容物の一部のみを消費した場合には、口頸部２から離脱せしめた容器蓋１０を再び口頸部２に被嵌して閉方向即ち図２において上方から見て時計方向に回転せしめて口頸部２の雄螺条４に容器蓋１０の雌螺条５０を再び螺合せしめ、かくして口頸部２に再び容器蓋１０を装着して口頸部２を一時的に密封することができる。図示の実施形態においては、口頸部２から容器蓋１０を離脱せしめて口頸部２を開封する際には周方向破断ライン２０が周方向全体に渡って破断されタンパーエビデント裾部２４がスカート壁１８の主部２２から完全に分離されるが、所望ならばタンパーエビデント裾部２４に１個乃至複数個の軸線方向破断ラインを配設し、口頸部２から容器蓋１０を離脱して口頸部２を開封する際には、周方向破断ライン２０は完全に破断されることなく一部が残留せしめられ、軸線方向破断ラインが破断されることによってタンパーエビデント裾部２４が無端環状から有端帯状に展開され、タンパーエビデント裾部２４を含む容器蓋１０の全体が口頸部２から離脱されるようになすこともできる。
【００２１】
図３及び図４は、本発明に従って構成された容器蓋の変形例を、容器の口頸部の典型例と共に図示している。図３及び図４に示す口頸部１０２は図１及び図２に示す口頸部２と同一である。
【００２２】
図３及び図４に示す容器蓋１１０においても、ライナー１１４は環状厚肉周縁部１３８とこの環状厚肉周縁部１３８に囲繞された中央領域１４４とを有するが、中央領域１１４には、環状厚肉周縁部の内周縁から半径方向内方に向かって下方に傾斜して延びる環状内向傾斜面１４７が規定されている。かかる内向傾斜面１４７は半径方向内方に向かって下方に円弧状に傾斜しているのが好適である。中央領域４４の最外周縁部の肉厚は比較的薄く、肉厚保環状周縁部１３８の内周縁には実質上鉛直に延びる円筒状内周面１３９が形成されている。そして、内向傾斜面１４７の外周縁部と環状肉厚周縁部１３８の内周面１３９との間には、周方向に等間隔をおいて複数個、好ましくは６乃至２４個程度のリブ１４９が配設されている。リブ１４９の各々は、環状肉厚周縁部１３８の内周面１３９に接続された外縁と内向傾斜面１４７の外周縁部下面に接続された上縁と半径方向外方に向かって下方に傾斜して延びる傾斜自由縁とを有する略直角三角形状でよい。図３及び図４に示す容器蓋１１０の上述した構成以外は図１及び図２に示す容器蓋１０と実質上同一である。
【００２３】
図３及び図４に示す容器蓋１１０においては、ライナー１１４の内向傾斜面１４７に付着した液体は内向傾斜に起因して半径方向内方に流動せしめられ、そして内向傾斜面１４７の最内周縁から下方に落下して容器内に戻される傾向があり、かくしてライナー１１４の中央領域１４４に付着して液体がそこに保持されることが可及的に抑制乃至回避される。更に、ライナー１１４の中央領域１４４の外周縁部に幾分かの液体が残留せしめられたとしても、内向傾斜面１４７の外周縁部と環状肉厚周縁部１３８の内周面１３９との間には複数個のリブ１４９が配設されている故に、容器の口頸部１０２から離脱された容器蓋１１０が傾斜せしめられたとしても、ライナー１１４の中央領域１４４の外周縁部に残留している液体が周方向に流動して特定角度部位に集中せしめられることがなく、特定角度部位において液体が比較的大きな嵩になって容器蓋１１０から流下してしまうことがない。
【図面の簡単な説明】
【００２４】
【図１】本発明に従って構成された容器蓋の好適実施形態を、これが適用される容器の口頸部と共に、一部を断面で示す正面図。
【図２】図１の容器蓋を図１の容器の口頸部に装着した状態を、一部を断面で示す正面図。
【図３】本発明に従って構成された容器蓋の変形例を、これが適用される容器の口頸部と共に、一部を断面で示す正面図。
【図４】図３の容器蓋を図３の容器の口頸部に装着した状態を、一部を断面で示す正面図。
【符号の説明】
【００２５】
２：容器の口頸部
１０：容器蓋
１２：シェル
１４：ライナー
１６：シェルの天面壁
１８：シェルのスカート壁
３６：スリット
３８：ライナーの環状肉圧周縁部
４２：環状垂下片
４４：ライナーの中央領域
４６：外向傾斜面
４８：内向傾斜面
１０２：容器の口頸部
１１０：容器蓋
１１４：ライナー
１３８：ライナーの環状肉厚周縁部
１４４：ライナーの中央領域
１４７：内向傾斜面
１４９：リブ
【図１】
2006219166.tif 000003
【図２】
2006219166.tif 000004
【図３】
2006219166.tif 000005
【図４】
2006219166.tif 000006